【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
被写体の光を光電変換する撮像素子と、
前記撮像素子に被写体からの光を入射させる露光時間を制御するためのシャッタと、
光を発光するストロボと、
当該装置の周囲環境の明るさを検出する明るさ検出手段と、
前記明るさ検出手段により検出される明るさが所定の閾値よりも明るいときに、前記撮像素子により光電変換される電荷を所定の撮像期間だけ蓄積させていき、当該蓄積させた電荷を画像データとして読出す第１の読出し制御手段と、
前記撮像期間中に、前記シャッタを複数回開閉制御することにより多重露光させる第１の多重露光撮影制御手段と、
前記明るさ検出手段により検出される明るさが所定の閾値よりも暗いときに、前記撮像素子により光電変換される電荷を所定の露光期間だけ蓄積させていき、当該蓄積させた電荷を画像データとして読出す第２の読出し制御手段と、
前記露光期間中に、前記ストロボを複数回発光制御することにより多重露光させる第２の多重露光撮影制御手段と、
を備えたことを特徴とする撮影装置。
【請求項２】
前記第１の多重露光撮影制御手段は、
前記撮像期間中に前記シャッタを開閉制御する回数としての露光回数を設定する露光回数設定手段を備える
ことを特徴とする請求項１記載の撮影装置。
【請求項３】
前記第１の多重露光撮影制御手段は、
前記撮像期間中に前記シャッタを開閉制御する時間間隔としての露光間隔を設定する露光間隔設定手段を備える
ことを特徴とする請求項２記載の撮影装置。
【請求項４】
前記撮像期間を設定する多重露光期間設定手段を備え、
前記露光間隔設定手段は、
前記第１の多重露光期間設定手段により設定された撮像期間と前記露光回数設定手段により設定された露光回数とに基づいて前記露光間隔を算出し、該算出した露光間隔を設定する
ことを特徴とする請求項３記載の撮影装置。
【請求項５】
前記明るさ検出手段により検出された周囲の明るさに基づいて、前記第１の多重露光撮影制御手段が前記シャッタを複数回開閉制御することで得られることとなる画像データが白飛びするか否かを判断する第１の白飛び判断手段と、
前記第１の白飛び判断手段により画像データが白飛びすると判断された場合は、事前に、白飛びする旨を報知する第１の報知手段と、
を備えたことを特徴とする請求項１乃至４の何れかに記載の撮影装置。
【請求項６】
前記明るさ検出手段により明るさ検出手段により検出された周囲の明るさに基づいて、前記第１の多重露光撮影制御手段による多重露光が適正露光量となるように、多重露光における各露光の露光量を算出する露光量算出手段と、
前記露光量算出手段により算出された露光量に基づいて、露光時間を算出する露光時間算出手段と、を備え、
前記第１の多重露光撮影制御手段は、
前記露光時間算出手段により算出された露光時間となるように、前記シャッタの各開時間を制御する
ことを特徴とする請求項１乃至４の何れかに記載の撮影装置。
【請求項７】
前記第１の多重露光撮影制御手段による前記シャッタの開閉制御に同期して前記撮像期間中に複数回のストロボ発光制御を行うストロボ発光制御手段を備えた
ことを特徴とする請求項１乃至６の何れかに記載の撮影装置。
【請求項８】
前記ストロボ発光制御手段は、
前記撮像期間中に発光させるストロボの発光色が、各発光時に異なる色となるようにストロボ発光制御する
ことを特徴とする請求項７記載の撮影装置。
【請求項９】
前記第２の多重露光撮影制御手段は、
前記露光期間中に発光させるストロボの発光色が、各発光時に異なる色となるようにストロボを発光制御する
ことを特徴とする請求項１記載の撮影装置。
【請求項１０】
前記第２の多重露光撮影制御手段は、
前記露光期間中に前記ストロボを発光制御する回数を設定する発光回数設定手段を備える
ことを特徴とする請求項１又は９記載の撮影装置。
【請求項１１】
前記第２の多重露光撮影制御手段は、
前記露光期間中に前記ストロボを発光制御する時間間隔としての発光間隔を設定する発光間隔設定手段を備える
ことを特徴とする請求項１０に記載の撮影装置。
【請求項１２】
前記露光期間を設定する露光期間設定手段を備え、
前記発光間隔設定手段は、
前記露光期間設定手段により設定された露光期間と前記発光回数設定手段により設定された露光回数とに基づいて発光間隔を算出し、該算出した発光間隔を設定する
ことを特徴とする請求項１１記載の撮影装置。
【請求項１３】
前記明るさ検出手段により検出された周囲の明るさに基づいて、前記第２の多重露光撮影制御手段による多重露光が適正露光量となるように、多重露光におけるストロボの各発光量を算出する発光量算出手段と、
前記発光量算出手段により算出された発光量に基づいてストロボの発光時間を算出する発光時間算出手段と、を備え、
前記第２の多重露光撮影制御手段は、
前記発光時間算出手段により算出された発光時間となるように、前記ストロボの各発光時間を制御する
ことを特徴とする請求項１または請求項９乃至１２の何れかに記載の撮影装置。
【請求項１４】
前記明るさ検出手段により検出された周囲の明るさに基づいて、前記第２の多重露光撮影制御手段が前記ストロボを複数回発光制御することで得られることとなる画像データが白飛びするか否かを判断する第２の白飛び判断手段と、
前記第２の白飛び判断手段により画像データが白飛びすると判断された場合は、事前に、白飛びする旨を報知する第２の報知手段と、
を備えたことを特徴とする請求項１または請求項９乃至１３の何れかに記載の撮影装置。
【請求項１５】
前記ストロボの発光中と非発行中とで前記撮像素子に露光される光の明るさの差が所定値以上であるか否かを判断する明るさ判断手段と、
前記明るさ判断手段により発光中と非発行中とで前記撮像素子に露光される光の明るさの差が所定値以上でないと判断すると、前記第２の多重露光撮影制御手段による多重露光を行う前に、コントラストがとれない画像データであることを報知する第３の報知手段と、
を備えたことを特徴とする請求項１または請求項９乃至１４の何れかに記載の撮影装置。
【請求項１６】
被写体の光を光電変換する撮像素子と、前記撮像素子に被写体からの光を入射させる露光時間を制御するためのシャッタと、光を発光するストロボと、を備えた撮影装置のコンピュータに、
当該装置の周囲環境の明るさを検出する明るさ検出処理と、
前記明るさ検出処理により検出される明るさが所定の閾値よりも明るいときに、前記撮像素子により光電変換される電荷を所定の撮像期間だけ蓄積させていき、当該蓄積させた電荷を画像データとして読出す第１の読出し制御処理と、
前記撮像期間中に、前記シャッタを複数回開閉制御することにより多重露光させる第１の多重露光撮影制御処理と、
前記明るさ検出処理により検出される明るさが所定の閾値よりも暗いときに、前記撮像素子により光電変換される電荷を所定の露光期間だけ蓄積させていき、当該蓄積させた電荷を画像データとして読出す第２の読出し制御処理と、
前記露光期間中に、前記ストロボを複数回発光制御することにより多重露光させる第２の多重露光撮影制御処理と、
を実行させることを特徴とするプログラム。
【手続補正２】
【補正対象書類名】明細書
【補正対象項目名】０００６
【補正方法】変更
【補正の内容】
【０００６】
本発明の第一の観点に係る撮影装置は、
被写体の光を光電変換する撮像素子と、
前記撮像素子に被写体からの光を入射させる露光時間を制御するためのシャッタと、
光を発光するストロボと、
当該装置の周囲環境の明るさを検出する明るさ検出手段と、
前記明るさ検出手段により検出される明るさが所定の閾値よりも明るいときに、前記撮像素子により光電変換される電荷を所定の撮像期間だけ蓄積させていき、当該蓄積させた電荷を画像データとして読出す第１の読出し制御手段と、
前記撮像期間中に、前記シャッタを複数回開閉制御することにより多重露光させる第１の多重露光撮影制御手段と、
前記明るさ検出手段により検出される明るさが所定の閾値よりも暗いときに、前記撮像素子により光電変換される電荷を所定の露光期間だけ蓄積させていき、当該蓄積させた電荷を画像データとして読出す第２の読出し制御手段と、
前記露光期間中に、前記ストロボを複数回発光制御することにより多重露光させる第２の多重露光撮影制御手段と、
を備えた。
【手続補正３】
【補正対象書類名】明細書
【補正対象項目名】０００７
【補正方法】変更
【補正の内容】
【０００７】
本発明の第二の観点に係るプログラムは、
被写体の光を光電変換する撮像素子と、前記撮像素子に被写体からの光を入射させる露光時間を制御するためのシャッタと、光を発光するストロボと、を備えた撮影装置のコンピュータに、
当該装置の周囲環境の明るさを検出する明るさ検出処理と、
前記明るさ検出処理により検出される明るさが所定の閾値よりも明るいときに、前記撮像素子により光電変換される電荷を所定の撮像期間だけ蓄積させていき、当該蓄積させた電荷を画像データとして読出す第１の読出し制御処理と、
前記撮像期間中に、前記シャッタを複数回開閉制御することにより多重露光させる第１の多重露光撮影制御処理と、
前記明るさ検出処理により検出される明るさが所定の閾値よりも暗いときに、前記撮像素子により光電変換される電荷を所定の露光期間だけ蓄積させていき、当該蓄積させた電荷を画像データとして読出す第２の読出し制御処理と、
前記露光期間中に、前記ストロボを複数回発光制御することにより多重露光させる第２の多重露光撮影制御処理と、
を実行させる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】